(57)【特許請求の範囲】
【請求項１】
相手方部材との結合状態を確認可能なコネクタであって、
前記相手方部材が挿入される挿入孔を有するハウジングと、
前記ハウジングに取り付けられ、前記挿入孔に挿入された前記相手方部材によって初期位置からロック位置に駆動されて、当該ロック位置で当該相手方部材を抜脱不能に固定するロック部材と、
前記ハウジングに設けられ、前記相手方部材との結合の完了を表示する結合完了表示部を有する識別部材と
を備え、
前記ロック部材は、前記初期位置において前記結合完了表示部を遮蔽する一方、前記ロック位置において前記結合完了表示部を露出させることを特徴とするコネクタ。
【請求項２】
前記ロック部材は、前記初期位置において前記ハウジングの外形よりも外側に突出し、前記ロック位置において前記ハウジングの外形と面一またはそれよりも内側に収容されることを特徴とする、請求項１に記載のコネクタ。
【請求項３】
前記ロック部材は、前記初期位置において前記ハウジングの外形よりも外側に突出し、その突出量が前記ロック位置において変化することを特徴とする、請求項１に記載のコネクタ。
【請求項４】
前記ロック部材は、前記初期位置において前記ハウジングの所定部位から突出し、前記ロック位置において前記ハウジングの前記所定部位とは異なる部位から突出することを特徴とする、請求項１に記載のコネクタ。
【請求項５】
前記ロック部材は、前記ハウジングに係止可能な被係止部を有し、
前記被係止部は、前記ロック部材が初期位置にある場合には前記ハウジングに係止されず、前記ロック部材が前記ロック位置にある場合に前記ハウジングに係止されることを特徴とする、請求項１から請求項４のいずれかに記載のコネクタ。
【請求項６】
前記ハウジングは、前記ロック部材の被係止部を係止する係止部を有し、
前記被係止部は、前記ロック部材が前記初期位置から前記ロック位置まで移動する際に、当該ロック部材の弾性変形により、前記係止部の一側の非係止位置から当該係止部を乗り越えるようにしてその他側の係止位置まで移動することを特徴とする、請求項５に記載のコネクタ。
【請求項７】
前記ハウジングは、前記結合完了表示部を露出する第１の表示開口を有し、
前記ロック部材は、前記初期位置において前記第１の表示開口と重ならず、且つ前記ロック位置において前記第１の表示開口と重なる第２の表示開口を有することを特徴とする、請求項１から請求項６のいずれかに記載のコネクタ。
【請求項８】
相手方部材との結合状態を確認可能なコネクタであって、
前記相手方部材が挿入される挿入孔を有するハウジングと、
前記ハウジングに取り付けられ、前記挿入孔に挿入された前記相手方部材によって初期位置からロック位置に駆動されて、当該ロック位置で当該相手方部材を抜脱不能に固定するロック部材と、
前記ハウジングに設けられ、前記ロック部材とは色彩の異なる結合完了表示部を有する識別部材と
を備え、
前記ロック部材は、前記初期位置において前記結合完了表示部を露出させる一方、前記ロック位置において前記結合完了表示部を遮蔽することを特徴とするコネクタ。
【発明の詳細な説明】
【技術分野】
【０００１】
本発明は、相手方部材との結合完了を確認可能なコネクタに関する。
【背景技術】
【０００２】
従来、相手方部材との結合完了を使用者に確認させるための結合確認機構を備えたコネクタとして、例えば、コネクタハウジングと、このコネクタハウジングに出没自在に嵌入され、パイプ体（相手方部材）がコネクタハウジングに挿入された際にその抜け止めを行うリテーナ（ロック部材）とを備え、リテーナは、初期状態においてコネクタハウジングから突出位置にあり、パイプ体がコネクタハウジングに挿入された際に、当該パイプ体の環状係合突部と係合することにより、没入位置まで移動するものが知られている（特許文献１参照）。このリテーナは、パイプ体の環状係合突部との係合により外側に押し広げられる一対の脚部と、この脚部の変位にともなって変形することにより、リテーナ本体を没入位置側へ付勢するバネ力を発生するバネ部とを有している。
【０００３】
この従来のコネクタによれば、使用者は、リテーナの位置（すなわち、リテーナが突出位置または没入位置のいずれにあるか）により、コネクタと相手方部材との結合が完了したか否かを認識することができ、比較的少ない部品点数で結合確認機構を実現できるという利点がある。
【先行技術文献】
【特許文献】
【０００４】
【特許文献１】特開２００６−３１６９４４号公報
【発明の概要】
【発明が解決しようとする課題】
【０００５】
ところで、上記従来技術において、使用者に結合の完了をより容易かつ明確に確認させるためには、突出位置と没入位置と間のリテーナの変位量をできる限り大きく確保する必要がある。しかしながら、そのようなリテーナの変位量の増大は、コネクタの大型化やコネクタに対するパイプ体の挿入抵抗の増大を招くという問題があった。
【０００６】
また、上記従来技術では、リテーナの移動をバネ部の付勢によって行う構成であるため、バネ部の付勢力が経年劣化等によって低下すると、使用者が結合確認を正常に行えなくなるという問題もあった。
【０００７】
本発明は、このような従来技術の課題を鑑みて案出されたものであり、比較的少ない部品点数で結合確認機構を構成し、しかもコネクタハウジングに挿入された相手方部材を抜脱不能に固定するロック部材の移動量が小さくコンパクトなコネクタを提供することを主目的とする。
【課題を解決するための手段】
【０００８】
上記課題を解決するためになされた第１の発明は、相手方部材（２）との結合状態を確認可能なコネクタ（１）であって、前記相手方部材が挿入される挿入孔（４）を有するハウジング（３）と、前記ハウジングに取り付けられ、前記挿入孔に挿入された前記相手方部材によって初期位置からロック位置に駆動されて、当該ロック位置で当該相手方部材を抜脱不能に固定するロック部材（５）と、前記ハウジングに設けられ、前記ロック部材とは色彩の異なる結合完了表示部（７４）を有する識別部材（６）とを備え、前記ロック部材は、前記初期位置において前記結合完了表示部を遮蔽する一方、前記ロック位置において前記結合完了表示部を露出させる構成とする。
【０００９】
また、第２の発明として、前記ロック部材は、前記初期位置において前記ハウジングの外形よりも外側に突出し、前記ロック位置において前記ハウジングの外形と面一またはそれよりも内側に収容される構成とすることができる。
【００１０】
また、第３の発明として、前記ロック部材は、前記初期位置において前記ハウジングの外形よりも外側に突出し、その突出量が前記ロック位置において変化する構成とすることができる。
【００１１】
また、第４の発明として、前記ロック部材は、前記初期位置において前記ハウジングの所定部位から突出し、前記ロック位置において前記ハウジングの前記所定部位とは異なる部位から突出する構成とすることができる。
【００１２】
また、第５の発明として、前記ロック部材は、前記ハウジングに係止可能な被係止部（４３）を有し、前記被係止部は、前記ロック部材が初期位置にある場合には前記ハウジングに係止されず、前記ロック部材が前記ロック位置にある場合に前記ハウジングに係止される構成とすることができる。
【００１３】
また、第６の発明として、前記ハウジングは、前記ロック部材の被係止部を係止する係止部（２４）を有し、前記被係止部は、前記ロック部材が前記初期位置から前記ロック位置まで移動する際に、当該ロック部材の弾性変形により、前記係止部の一側の非係止位置から当該係止部を乗り越えるようにしてその他側の係止位置まで移動する構成とすることができる。
【００１４】
また、第７の発明は、前記ハウジングは、前記結合完了表示部を露出する第１の表示開口（２３）を有し、前記ロック部材は、前記初期位置において前記第１の表示開口と重ならず、且つ前記ロック位置において前記第１の表示開口と重なる第２の表示開口（６１）を有する構成とすることができる。
【００１５】
また、第８の発明は、相手方部材（２）との結合状態を確認可能なコネクタ（１）であって、前記相手方部材が挿入される挿入孔（４）を有するハウジング（３）と、前記ハウジングに取り付けられ、前記挿入孔に挿入された前記相手方部材によって初期位置からロック位置に駆動されて、当該ロック位置で当該相手方部材を抜脱不能に固定するロック部材（５）と、前記ハウジングに設けられ、前記ロック部材とは色彩の異なる結合完了表示部（７４）を有する識別部材（６）とを備え、前記ロック部材は、前記初期位置において前記結合完了表示部を露出させる一方、前記ロック位置において前記結合完了表示部を遮蔽する構成とする。
【発明の効果】
【００１６】
上記第１及び第８の発明によれば、相手方部材によって初期位置からロック位置に駆動されるロック部材と、このロック部材とは色彩の異なる結合完了表示部を有する識別部材とを備え、当該結合完了表示部が、初期位置にあるロック部材によって遮蔽される（または露出する）一方、ロック部材がロック位置に移動した際に露出する（または遮蔽される）構成としたため、比較的少ない部品点数で結合確認機構を構成することができ、しかもロック部材の移動量が小さくコンパクトなコネクタを実現することができるという優れた作用効果を奏する。
また、上記第２の発明によれば、識別部材の結合完了表示部の遮蔽状態または露出状態と、ロック部材の突出状態または収容状態とによって、使用者は結合状態の確認をより確実に行うことが可能となる。
また、上記第３の発明によれば、識別部材の結合完了表示部の遮蔽状態または露出状態と、ロック部材の突出量の変化とによって、使用者は結合状態の確認をより確実に行うことが可能となる。
また、上記第４の発明によれば、識別部材の結合完了表示部の遮蔽状態または露出状態と、ロック部材の突出位置の変化とによって、使用者は結合状態の確認をより確実に行うことが可能となる。
また、上記第５の発明によれば、ロック部材をロック位置に保持可能として、相手方部材の抜脱を防止することができる。
また、上記第６の発明によれば、簡易な構成により、ロック部材をロック位置に安定的に保持可能となる。
また、上記第７の発明によれば、簡易な構成により、ロック部材の位置に対応して結合完了表示部の遮蔽または露出を実現することが可能となる。
【図面の簡単な説明】
【００１７】
【図１】第１実施形態に係る（Ａ）非結合状態および（Ｂ）結合完了状態のコネクタを示す斜視図である。
【図２】第１実施形態に係るコネクタの分解斜視図である。
【図３】ロック部材の（Ａ）前面側から見た斜視図および（Ｂ）背面図である。
【図４】第１実施形態に係る非結合状態のコネクタの断面斜視図である。
【図５】第１実施形態に係る結合途中のコネクタの断面斜視図である。
【図６】第１実施形態に係る結合完了状態のコネクタの断面斜視図である。
【図７】第１実施形態に係る結合完了状態のコネクタの断面図である。
【図８】第１実施形態に係るコネクタの変形例を示す斜視図である。
【図９】第２実施形態に係るコネクタにおけるロック部材の斜視図である。
【図１０】第２実施形態に係るコネクタの底面図である。
【図１１】第２実施形態に係る（Ａ）非結合状態および（Ｂ）結合完了状態のコネクタを示す図である。
【発明を実施するための形態】
【００１８】
＜第１実施形態＞
以下、本発明の第１実施形態に係るコネクタについて図１から図８を参照しながら説明する。説明にあたり、方向を示す用語については、図１中に示した方向に従うものとする。
【００１９】
図１または図２に示すように、コネクタ１は、流体を輸送するパイプ２と結合されるものであり、その本体をなすハウジング３と、このハウジング３の挿入孔４に挿入されたパイプ２を抜脱不能に固定するロック部材５と、パイプ２とハウジング３との結合状態を使用者が目視確認可能なように表示する識別部材６とを主として備える。コネクタ１を構成する各部材３，５，６は、それぞれ合成樹脂材料から形成され、左右対称の形状を有している。
【００２０】
パイプ２は、金属や合成樹脂等からなり、その先端側の外周面には、コネクタ１との結合に用いられる円環状の鍔部１１が突設されている。パイプ２は、コネクタ１との結合またはその解除に際し、コネクタ１に対して前後方向に相対移動する。
【００２１】
ハウジング３は、その先端部に図示しない他の配管等を接続可能な管状のジョイント部１２と、このジョイント部１２の後端に連なり、パイプ２の挿入孔４が形成された挿入部１４とを有している。ジョイント部１２は、その先端に向けて段階的に縮径されていると共に、その後部の内壁には、図４に示すように、流路を密閉するためのＯリング１５，１６が円環状のブッシュ１７を介して装着されている。
【００２２】
図２に示すように、挿入部１４の上部には、ロック部材５が挿入される上部開口２１が形成されている。また、挿入部１４の左右壁２２，２２には、上下方向に所定の間隔で互いに連なるように、複数（ここでは、４つ）の表示開口２３がそれぞれ左右方向に貫通するように形成されている。左右壁２２，２２において、各表示開口２３の間に位置する間隙部２２ａの上下方向（ロック部材５の移動方向）の幅は、各表示開口２３の幅と同一となるように設けられている。また、挿入部１４の後壁２５において、挿入孔４の下側に位置する下部の前面には、後述するロック部材５の被係止部４３を係止する係止爪２４（図４参照）が前方に突設されている。
【００２３】
ロック部材５は、ハウジング３に対してその上部開口２１内で上下移動可能なように取り付けられ、図３にも示すように、パイプ２の挿入孔３１が形成された環状の本体部３２と、この本体部３２の左右側面に沿ってその上部からそれぞれ下方に延設された左右一対の腕部３３，３３とを有している。
【００２４】
図２に示すように、本体部３２は、その後壁３２ａよりも前方に配置され、パイプ２の挿入孔３１の下部を画成する弾性ロック片４１を有している。弾性ロック片４１は、略Ｕ字形を呈し、上下方向に延在する左右一対のパイプ当接部４２，４２と、これらパイプ当接部４２，４２の下端を連結する被係止部４３とを主として有する。図３（Ａ）に示すように、パイプ当接部４２，４２は、撓曲容易に設けられた撓曲部４４，４４を介して本体部３２の左右側壁の内面にそれぞれ接続されており、これにより、被係止部４３と共に前後方向（パイプ２の挿脱方向）に変位可能となっている。被係止部４３は、前後方向から見て中央部４３ａの厚みが左右側部の厚みよりも小さくなるように形成されている。
【００２５】
また、図３（Ｂ）に示すように、本体部３２の後壁３２ａは、上方に凸状をなす半円弧状に切り欠かれることにより、パイプ２の挿入孔３１の上部を画成する。また、本体部３２の後壁３２ａには、後方に向けてガイド突起５１が突設されている。ガイド突起５１は、ハウジング３の挿入部１４の後壁に形成された縦溝５２（図４参照）内に摺動可能に保持され、これにより、ロック部材５の上下移動がガイドされる。
【００２６】
腕部３３，３３は、それぞれの下部が内側に湾曲して形成された段部３３ａを有している。この段部３３ａは、ロック部材５がハウジング３に取り付けられた際に、ハウジング３の左右壁２２，２２に設けられた凹部５５（図２参照）内に保持される。これにより、ロック部材５のハウジングからの離脱が防止される。
【００２７】
また、腕部３３，３３には、ハウジング３の左右壁２２，２２における表示開口２３と略同一の構成を有する表示開口６１がそれぞれ形成されている。表示開口６１は、腕部３３，３３において上下方向に所定の間隔で互いに連なるように複数（ここでは、４つ）形成されている。また、腕部３３，３３において、各表示開口６１の間に位置する間隙部の上下方向（ロック部材５の移動方向）の幅は、各表示開口６１の幅と同一となるように設けられている。
【００２８】
識別部材６は、図２に示すように、パイプ２の挿入孔７１が形成された環状の本体部７２と、この本体部７２の前面から突設された環状凸部７３と、本体部７２の左右側縁からそれぞれ後方に向けて延設された一対の表示片７４，７４と、本体部７２の後面から突設された複数の円弧状のパイプ規制部７５とを主として有している。識別部材６は、環状凸部７３がハウジング３のジョイント部１２の開口１２ａに後方から嵌入されることにより、ハウジング３に対して取り付けられる。
【００２９】
識別部材６において、少なくとも表示片７４，７４は、パイプ２との結合の完了を表示すべく、ロック部材５（少なくとも、表示開口６１が形成された腕部３３，３３の表面）と色彩が異なるように設けられている。例えば、ロック部材５の外表面を黒色とした場合、表示片７４，７４の色を視認性の高い赤色とすることができる。また、表示片７４，７４は、ロック部材５の本体部３２の左右側面と腕部３３，３３との間隙Ｇ（図３（Ｂ）参照）に挿入されると共に、ハウジング３の左右壁２２，２２と対峙するようにそれらの内側にそれぞれ配置されている。したがって、表示片７４，７４は、ロック部材５をハウジング３に取り付けていない状態では、ハウジング３の表示開口２３から露出する。
【００３０】
次に、上記構成のコネクタ１とパイプ２との結合動作の詳細について説明する。
【００３１】
図４に示すように、非結合状態（すなわち、パイプ２と結合前）のコネクタ１では、ロック部材５は、その本体部３２の上部がハウジング３の上部開口２１から突出した上昇位置（初期位置）にある。このとき、ロック部材５は、その段部３３ａ（図３（Ｂ）参照）がハウジング３の凹部５５（図２参照）の上面に当接し、その上方への移動が規制されている。また、このとき、ロック部材５における弾性ロック片４１の被係止部４３は、非係止位置に位置にあり、その中央部４３ａ（図２参照）がハウジングの係止爪２４の上面２４ａに当接した状態にある。これにより、ロック部材５は下方への移動も規制されている。
【００３２】
また、ロック部材５が上昇位置にある場合には、腕部３３，３３における各表示開口６１は、その内側に位置するハウジング３の各表示開口２３に対して表示開口２３の１つ分の幅だけ上側にずれた状態にある。これにより、表示開口６１からは各表示開口２３の間に位置する各間隙部２２ａが露出されている。各間隙部２２ａは、ロック部材５（少なくとも、表示開口６１が形成された腕部３３，３３の表面）と色彩が同一となるように形成されており、これにより、使用者は、表示開口６１には何も表示されていない（すなわち、コネクタ１は非結合状態である）と認識する。
【００３３】
使用者がハウジング３の挿入孔４にパイプ２を挿入する際には、パイプ２の外周面が識別部材６の挿入孔７１やブッシュ１７の内周面に摺接することにより、そのパイプ２の挿入がガイドされる。図５に示すように、ハウジング３に対するパイプ２の挿入途中において、パイプ２の鍔部１１がロック部材５における弾性ロック片４１のパイプ当接部４２（図４参照）に当接する。より詳細には、パイプ当接部４２の上部には、その後部内側が斜めに切り欠かれて当接面８１（図４参照）がそれぞれ形成されており、この当接面８１にパイプ２の鍔部１１が当接する。
【００３４】
図５に示した状態から、使用者がパイプ２を更に前方に押し込むと、前方へ移動する鍔部１１が当接面８１を押圧することにより、ロック部材５には、自身を下向きに移動させる力と共に、その撓曲部４４（図４参照）を弾性変形させて弾性ロック片（被係止部４３）を前方に変位させる力が作用する。これにより、図６および図７に示すように、弾性ロック片４１の被係止部４３が係止爪２４を乗り越えて係止位置に移動し、当該係止爪２４の下側の傾斜面２４ｂに当接する。これにより、ロック部材５は、上方への移動が規制され、下降位置に安定的に保持される。
【００３５】
このとき、ロック部材５は、その本体部３２がハウジング３の上部開口２１内に収容された下降位置（ロック位置）にある。そして、図７に示すように、ロック部材５の本体部３２における後壁３２ａと識別部材６のパイプ規制部７５との間にパイプ２の鍔部１１が挟持された状態となる。また、このとき、腕部３３，３３における各表示開口６１が、内側のハウジング３の各表示開口２３に対して重なった状態となる。ここでは、ロック部材５の上昇位置から下降位置への移動量は、表示開口２３の１つ分の幅に設定されている。これにより、表示開口２３および表示開口６１を介して識別部材６の表示片７４，７４の一部が露出され、使用者は、表示開口６１に結合完了表示がなされた（すなわち、コネクタ１は結合完了状態である）と認識する。このようにして、コネクタ１とパイプ２との結合が完了する。
【００３６】
なお、ロック部材５における本体部３２の上壁の前縁には切欠き部９１が形成されており、使用者は、切欠き部９１に所定の工具を差し込むことにより、ロック部材５に上向きの力を作用させることができる。これにより、ロック部材５は、その被係止部４３が係止爪２４の下側の傾斜面２４ｂに沿って弾性変形し、ハウジングの係止爪２４による係止が解除されて、図４に示した上昇位置に再び移動する。
【００３７】
上記コネクタ１では、パイプ２によって上昇位置から下降位置に駆動されるロック部材５と、このロック部材５とは色彩の異なる表示片７４，７４を有する識別部材６とを備え、当該表示片７４，７４が、初期位置にあるロック部材５によって遮蔽される一方、ロック部材５が下降位置に移動した際に露出する構成としたため、比較的少ない部品点数で結合確認機構を構成することができ、しかもロック部材５の移動量が小さくコンパクトな構成とすることが可能となる。この場合、使用者は、必ずしもロック部材５の位置変化によらず、表示開口６１内の色彩の変化により、コネクタ１の結合状態を確認できるという利点がある。
【００３８】
なお、結合完了表示方法の変形例として、表示開口２３，６１の配置等を変更することにより、表示片７４，７４が、初期位置にあるロック部材５によって露出する一方、ロック部材５が下降位置に移動した際に遮蔽される構成としてもよい。また、識別部材６は、必ずしも独立した部材として設ける必要はなく、例えば、ハウジング３と一体に形成することも可能である。なお、表示片７４，７４は、上述のようなロック部材５と色彩の異なる構成に限定されるものではなく、例えば、使用者に認識可能な文字、記号及び図形等を表示開口２３，６１から表示するものであってもよい。
【００３９】
また、上記コネクタ１では、ロック部材５は、上昇位置においてハウジング３の外形よりも外側に突出し、下降位置においてハウジング３の外形と面一またはそれよりも内側に収容される構成としたため、使用者は、識別部材６の表示片７４，７４の遮蔽状態または露出状態と、ロック部材５の突出状態または収容状態とによって、結合状態の確認をより確実に行うことが可能となる。この場合、使用者は、ロック部材５の突出状態または収容状態を、必ずしも目視によらず指先等の触覚により確認できるという利点がある。
【００４０】
上記のような第１の実施形態の変形例として、図８に示すように、ロック部材５が、上昇位置においてハウジング３の外形よりも外側に突出し、その突出量が下降位置において変化する（すなわち、ロック部材５はハウジング内に完全には収容されない）構成も可能である。ここでは、ロック部材５の突出量は、図８（Ｂ）に示すコネクタ１の結合状態において図８（Ａ）に示すコネクタ１の非結合状態よりも減少しているが、逆にコネクタ１の結合時にその突出量が増大する構成も可能である。
【００４１】
このような変形例の構成により、使用者は、識別部材６の表示片７４，７４の遮蔽状態または露出状態と、ロック部材５の突出量の変化とによって、結合状態の確認をより確実に行うことが可能となる。この場合、使用者は、ロック部材５の突出量を、必ずしも目視によらず指先等の触覚により確認できるという利点がある。
【００４２】
＜第２実施形態＞
次に、本発明の第２実施形態に係るコネクタについて、図９から図１１を参照しながら説明する。この第２実施形態において、上記第１実施形態と同様の構成要素については、図示を省略するか或いは同一の符号が付してあり、それらの構成や機能については以下で言及する事項を除いて上記第１実施形態の場合と同様とする。
【００４３】
第２実施形態に係るコネクタ１では、図９に示すように、ロック部材５の構成が第１実施形態の場合とは異なる。図９において、ロック部材５は、腕部３３，３３において段部３３ａの下方に位置する下端部３３ｂが、図２に示したロック部材５よりも下方に延長されている。また、図１０に示すように、ハウジング３の挿入部１４の下面には、その腕部３３，３３の下端部３３ｂに対応する位置に一対の突出開口９５が設けられている。
【００４４】
これにより、第１実施形態と同様にコネクタ１とパイプ２との結合の際にロック部材５が下降すると、図１１に示すように、腕部３３，３３の下端部３３ｂがハウジング３の突出開口９５からそれぞれ突出する。
【００４５】
このような第２実施形態の構成により、使用者は、識別部材６の表示片７４，７４の遮蔽状態または露出状態と、ロック部材５の突出位置の変化とによって、使用者は結合状態の確認をより確実に行うことが可能となる。この場合、図１１（Ａ）に示すコネクタ１の非結合状態においてロック部材５（より詳細には、本体部３２の上部）が突出する部位（すなわち、上部開口２１）が、ハウジング３の一方側（上側）に設けられる一方、図１１（Ｂ）に示すコネクタ１の結合完了状態においてロック部材５（より詳細には、その腕部３３，３３の下端部３３ｂ）が突出する部位（すなわち、突出開口９５）が、ハウジング３の他方側（下側）に設けられた構成としたため、使用者は、ロック部材５の突出位置の変化を指先等の触覚によっても容易に確認できるという利点がある。
【００４６】
本発明を特定の実施形態に基づいて詳細に説明したが、上記実施形態はあくまでも例示であって、本発明はこれらの実施形態によって限定されるものではない。例えば、本発明に係るコネクタの結合対象となる相手方部材は、上記パイプ２に限らず、種々の変更が可能である。なお、上記実施形態に示した本発明に係るコネクタの各構成要素は、必ずしも全てが必須ではなく、少なくとも本発明の範囲を逸脱しない限りにおいて適宜取捨選択することが可能である。
【符号の説明】
【００４７】
１  コネクタ
２  パイプ（相手方部材）
３  ハウジング
４  挿入孔
５  ロック部材
６  識別部材
１１  鍔部
２１  上部開口
２２ａ  間隙部
２３  表示開口（第１の表示開口）
２４  係止爪
３３  腕部
４１  弾性ロック片
４２  パイプ当接部
４３  被係止部
６１  表示開口（第２の表示開口）
７４  表示片（結合完了表示部）
８１  当接面  
【図１】
0005438463.tif 000002
【図２】
0005438463.tif 000003
【図３】
0005438463.tif 000004
【図４】
0005438463.tif 000005
【図５】
0005438463.tif 000006
【図６】
0005438463.tif 000007
【図７】
0005438463.tif 000008
【図８】
0005438463.tif 000009
【図９】
0005438463.tif 000010
【図１０】
0005438463.tif 000011
【図１１】
0005438463.tif 000012